(57)【要約】【課題】  キートップの外形を筐体の外枠近傍まで最大限に大きくしても、筐体の強度を確保を可能なボタンキー装置を提供する。【解決手段】  フロント側筐体１の一方の強度保持用突出部１５ａ上に第１のキートップ部４の延設部２１を位置させ、また、他方の強度保持用突出部１５ｂ上に第２のキートップ部５の延設部３１を位置させて各キートップ部４，５を組み込む。フロント側筐体１の開口部１４は、筐体の一方の外枠部近傍から他方の外枠部近傍にかけて、直線的かつ連続的に該筐体を切り欠くことで形成されている。また、この開口部１４に対応するフロント筐体１の各外枠部は、上記一対の強度保持用突出部１５ａ，１５ｂにより補強されている。このため、フロント筐体１の各外枠部の強度を確保したうえで大きな開口部１４を設けることができ、この開口部１４に対して大きな外形の上記各キートップ部４，５を設けることができる。【選択図】  図７
2011071072.tif 000002
【特許請求の範囲】
【請求項１】
筐体の一方の外枠部近傍から他方の外枠部近傍にかけて、直線的かつ連続的に該筐体を切り欠くことで形成された開口部と、
上記筐体の各外枠部から上記開口部の延設方向に沿ってそれぞれ突出するように、上記筐体に設けられた一対の強度保持用突出部と、
上記開口部に設けられた際に該開口部から突出する突出部と、上記開口部に設けられた際に上記一方の強度保持用突出部に対応する上記突出部の端部を延長して設けられた延設部と、上記開口部の延設方向に対して直交する両方向に沿ってそれぞれ突出するように設けられたフランジ部とを備えた第１のキートップ部と、
上記開口部に設けられた際に該開口部から突出する突出部と、上記開口部に設けられた際に上記他方の強度保持用突出部に対応する上記突出部の端部を延長して設けられ延設部と、上記開口部の延設方向に対して直交する両方向に沿ってそれぞれ突出するように設けられたフランジ部とを備え、上記開口部の延設方向に沿った上記第１のキートップ部の長さと、上記開口部の延設方向に沿った当該第２のキートップ部の長さとを加算した長さが、上記開口部の延設方向の長さと略々同じ長さとなるように形成された第２のキートップ部と、
上記第１のキートップ部の上記突出部に対して反対側の面部となる底面部に設けられた第１の浸水防止シートと、
上記第２のキートップ部の上記突出部に対して反対側の面部となる底面部に設けられ、上記第２のキートップ部が上記第１のキートップ部と共に上記開口部に設けられた際に、上記第１の浸水防止シートに対してオーバーラップするオーバーラップ部を備えた第２の浸水防止シートと、
上記筐体側に設けられ、上記第２の浸水防止シートの上記オーバーラップ部に接触することで、該オーバーラップ部に対して所定の圧力を加える加圧部と、
上記第１のキートップ部、及び上記第２のキートップ部に対応して、上記筐体内に収納される基板上にそれぞれ設けられたスイッチ部と、
上記第１のキートップ部と、当該第１のキートップ部に対応する上記スイッチ部との間に設けられ、該第１のキートップ部が押圧操作された際に、この押圧力を上記スイッチ部に伝達する第１の押し子部材と、
上記第２のキートップ部と、当該第２のキートップ部に対応する上記スイッチ部との間に設けられ、該第２のキートップ部が押圧操作された際に、この押圧力を上記スイッチ部に伝達する第２の押し子部材と
を有するボタンキー装置。
【請求項２】
一本の略棒状の連結バーと、
上記連結バーに対して上記第１の押し子部材を接続し、上記押圧操作に応じて湾曲する第１の支持部と、
上記連結バーに対して上記第２の押し子部材を接続し、上記押圧操作に応じて湾曲する第２の支持部とを有し、
上記連結バー、上記第１の押し子部材、上記第１の支持部、上記第２の押し子部材、及び上記第２の支持部を、所定の部材で一体成形した
請求項１に記載のボタンキー装置。
【請求項３】
発光部を有し、
上記連結バー、上記第１の押し子部材、上記第１の支持部、上記第２の押し子部材、及び上記第２の支持部は、導光部材で一体成形されており、
少なくとも上記第１の押し子部材及び上記第２の押し子部材は、上記発光部からの光を上記第１のキートップ部側及び上記第２のキートップ部側に導光するための所定の傾斜角度の切り欠き加工部を備えた
請求項２に記載のボタンキー装置。
【請求項４】
筐体の一方の外枠部近傍から他方の外枠部近傍にかけて、直線的かつ連続的に該筐体を切り欠くことで形成された開口部と、
上記筐体の各外枠部から上記開口部の延設方向に沿ってそれぞれ突出するように、上記筐体に設けられた一対の強度保持用突出部と、
上記開口部に設けられた際に該開口部から突出する突出部と、上記開口部に設けられた際に上記一方の強度保持用突出部に対応する上記突出部の端部を延長して設けられた延設部と、上記開口部の延設方向に対して直交する両方向に沿ってそれぞれ突出するように設けられたフランジ部とを備えた第１のキートップ部と、
上記開口部に設けられた際に該開口部から突出する突出部と、上記開口部に設けられた際に上記他方の強度保持用突出部に対応する上記突出部の端部を延長して設けられた延設部と、上記開口部の延設方向に対して直交する両方向に沿ってそれぞれ突出するように設けられたフランジ部とを備えた第２のキートップ部と、
上記開口部に設けられた際に該開口部から突出する突出部と、上記開口部の延設方向に対して直交する両方向に沿ってそれぞれ突出するように設けられたフランジ部とを備え、上記開口部の延設方向に沿った上記第１のキートップ部の長さと、上記開口部の延設方向に沿った上記第２のキートップ部の長さと、上記開口部の延設方向に沿った当該中間キートップ部の長さとを加算した長さが、上記開口部の延設方向の長さと略々同じ長さとなるように形成された一つ以上の中間キートップ部と、
上記第１のキートップ部の上記突出部に対して反対側の面部となる底面部に設けられた第１の浸水防止シートと、
上記第２のキートップ部の上記突出部に対して反対側の面部となる底面部に設けられた第２の浸水防止シートと、
上記中間キートップ部の上記突出部に対して反対側の面部となる底面部に設けられ、上記中間キートップ部が上記第１のキートップ部及び上記第２のキートップ部と共に上記開口部に設けられた際に、隣接する浸水防止シートに対してそれぞれオーバーラップするオーバーラップ部を備えた中間浸水防止シートと、
上記筐体側に設けられ、上記中間浸水防止シートの上記各オーバーラップ部にそれぞれ接触することで、該各オーバーラップ部に対して所定の圧力を加える加圧部と、
上記第１のキートップ部、上記中間キートップ部及び上記第２のキートップ部に対応して、上記筐体内に収納される基板上にそれぞれ設けられたスイッチ部と、
上記第１のキートップ部と、当該第１のキートップ部に対応する上記スイッチ部との間に設けられ、該第１のキートップ部が押圧操作された際に、この押圧力を上記スイッチ部に伝達する第１の押し子部材と、
上記第２のキートップ部と、当該第２のキートップ部に対応する上記スイッチ部との間に設けられ、該第２のキートップ部が押圧操作された際に、この押圧力を上記スイッチ部に伝達する第２の押し子部材と、
上記中間キートップ部と、当該中間キートップ部に対応する上記スイッチ部との間に設けられ、該中間キートップ部が押圧操作された際に、この押圧力を上記スイッチ部に伝達する中間押し子部材と
を有するボタンキー装置。
【請求項５】
一本の略棒状の連結バーと、
上記連結バーに対して上記第１の押し子部材を接続し、上記押圧操作に応じて湾曲する第１の支持部と、
上記連結バーに対して上記第２の押し子部材を接続し、上記押圧操作に応じて湾曲する第２の支持部と、
上記連結バーに対して上記中間押し子部材を接続し、上記押圧操作に応じて湾曲する中間支持部とを有し、
上記連結バー、上記第１の押し子部材、上記第１の支持部、上記第２の押し子部材、上記第２の支持部、上記中間押し子部材、及び上記中間支持部を、所定の部材で一体成形した
請求項４に記載のボタンキー装置。
【請求項６】
発光部を有し、
上記連結バー、上記第１の押し子部材、上記第１の支持部、上記第２の押し子部材、上記第２の支持部、上記中間押し子部材、及び上記中間支持部は、導光部材で一体成形されており、
少なくとも上記第１の押し子部材、上記第２の押し子部材及び上記中間押し子部材は、上記発光部からの光を上記第１のキートップ部側、上記第２のキートップ部側、及び上記中間キートップ部側に導光するための所定の傾斜角度の切り欠き加工部を備えた
請求項５に記載のボタンキー装置。
【請求項７】
筐体の一方の外枠部近傍から他方の外枠部近傍にかけて、直線的かつ連続的に該筐体を切り欠くことで形成された開口部と、
上記筐体の各外枠部から上記開口部の延設方向に沿ってそれぞれ突出するように、上記筐体に設けられた一対の強度保持用突出部と、
上記開口部に設けられた際に該開口部から突出する突出部と、上記開口部に設けられた際に上記一方の強度保持用突出部に対応する上記突出部の端部を延長して設けられた延設部と、上記開口部の延設方向に対して直交する両方向に沿ってそれぞれ突出するように設けられたフランジ部とを備えた第１のキートップ部と、
上記開口部に設けられた際に該開口部から突出する突出部と、上記開口部に設けられた際に上記他方の強度保持用突出部に対応する上記突出部の端部を延長して設けられ延設部と、上記開口部の延設方向に対して直交する両方向に沿ってそれぞれ突出するように設けられたフランジ部とを備え、上記開口部の延設方向に沿った上記第１のキートップ部の長さと、上記開口部の延設方向に沿った当該第２のキートップ部の長さとを加算した長さが、上記開口部の延設方向の長さと略々同じ長さとなるように形成された第２のキートップ部と、
上記第１のキートップ部の上記突出部に対して反対側の面部となる底面部に設けられた第１の浸水防止シートと、
上記第２のキートップ部の上記突出部に対して反対側の面部となる底面部に設けられ、上記第２のキートップ部が上記第１のキートップ部と共に上記開口部に設けられた際に、上記第１の浸水防止シートに対してオーバーラップするオーバーラップ部を備えた第２の浸水防止シートと、
上記筐体側に設けられ、上記第２の浸水防止シートの上記オーバーラップ部に接触することで、該オーバーラップ部に対して所定の圧力を加える加圧部と、
上記第１のキートップ部、及び上記第２のキートップ部に対応して、上記筐体内に収納される基板上にそれぞれ設けられたスイッチ部と、
上記第１のキートップ部と、当該第１のキートップ部に対応する上記スイッチ部との間に設けられ、該第１のキートップ部が押圧操作された際に、この押圧力を上記スイッチ部に伝達する第１の押し子部材と、
上記第２のキートップ部と、当該第２のキートップ部に対応する上記スイッチ部との間に設けられ、該第２のキートップ部が押圧操作された際に、この押圧力を上記スイッチ部に伝達する第２の押し子部材と
を備えたボタンキー装置を有する携帯端末装置。
【請求項８】
筐体の一方の外枠部近傍から他方の外枠部近傍にかけて、直線的かつ連続的に該筐体を切り欠くことで形成された開口部と、
上記筐体の各外枠部から上記開口部の延設方向に沿ってそれぞれ突出するように、上記筐体に設けられた一対の強度保持用突出部と、
上記開口部に設けられた際に該開口部から突出する突出部と、上記開口部に設けられた際に上記一方の強度保持用突出部に対応する上記突出部の端部を延長して設けられた延設部と、上記開口部の延設方向に対して直交する両方向に沿ってそれぞれ突出するように設けられたフランジ部とを備えた第１のキートップ部と、
上記開口部に設けられた際に該開口部から突出する突出部と、上記開口部に設けられた際に上記他方の強度保持用突出部に対応する上記突出部の端部を延長して設けられた延設部と、上記開口部の延設方向に対して直交する両方向に沿ってそれぞれ突出するように設けられたフランジ部とを備えた第２のキートップ部と、
上記開口部に設けられた際に該開口部から突出する突出部と、上記開口部の延設方向に対して直交する両方向に沿ってそれぞれ突出するように設けられたフランジ部とを備え、上記開口部の延設方向に沿った上記第１のキートップ部の長さと、上記開口部の延設方向に沿った上記第２のキートップ部の長さと、上記開口部の延設方向に沿った当該中間キートップ部の長さとを加算した長さが、上記開口部の延設方向の長さと略々同じ長さとなるように形成された一つ以上の中間キートップ部と、
上記第１のキートップ部の上記突出部に対して反対側の面部となる底面部に設けられた第１の浸水防止シートと、
上記第２のキートップ部の上記突出部に対して反対側の面部となる底面部に設けられた第２の浸水防止シートと、
上記中間キートップ部の上記突出部に対して反対側の面部となる底面部に設けられ、上記中間キートップ部が上記第１のキートップ部及び上記第２のキートップ部と共に上記開口部に設けられた際に、隣接する浸水防止シートに対してそれぞれオーバーラップするオーバーラップ部を備えた中間浸水防止シートと、
上記筐体側に設けられ、上記中間浸水防止シートの上記各オーバーラップ部にそれぞれ接触することで、該各オーバーラップ部に対して所定の圧力を加える加圧部と、
上記第１のキートップ部、上記中間キートップ部及び上記第２のキートップ部に対応して、上記筐体内に収納される基板上にそれぞれ設けられたスイッチ部と、
上記第１のキートップ部と、当該第１のキートップ部に対応する上記スイッチ部との間に設けられ、該第１のキートップ部が押圧操作された際に、この押圧力を上記スイッチ部に伝達する第１の押し子部材と、
上記第２のキートップ部と、当該第２のキートップ部に対応する上記スイッチ部との間に設けられ、該第２のキートップ部が押圧操作された際に、この押圧力を上記スイッチ部に伝達する第２の押し子部材と、
上記中間キートップ部と、当該中間キートップ部に対応する上記スイッチ部との間に設けられ、該中間キートップ部が押圧操作された際に、この押圧力を上記スイッチ部に伝達する中間押し子部材と
を備えたボタンキー装置を有する携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、デジタルカメラ装置、動画撮像装置、ノート型或いはデスクトップ型のパーソナルコンピュータ装置等の押圧操作式のボタンキーを備えた電子機器に適用して好適なボタンキー装置、及び携帯端末装置に関する。
特には、電子機器の筐体の幅方向の長さと略同程度の長さまでボタンキーを設けることを可能とし、なおかつ、筐体の強度をも確保可能としたボタンキー装置、及び携帯端末装置に関する。
【背景技術】
【０００２】
今日において、例えば携帯電話機、ＰＨＳ電話機（PHS：Personal Handyphone System）、ＰＤＡ装置（PDA：Personal Digital Assistant）、携帯ゲーム機、デジタルカメラ装置等の多くの携帯機器が知られている。このような携帯機器では、ユーザがボタンキーを押圧操作することで、メニューの選択操作や文字の入力等を行うことが多い。従来、ボタンキーは、例えば特開２００７−１４１０７６号の公開特許公報（特許文献１），特開２００８−１６６９９３号の公開特許公報（特許文献２），特開２００９−１２３６３２号の公開特許公報（特許文献３）等に開示されているように、筺体の開口部（＝ボタンキーの設置部）から筐体外に突出する部分である樹脂等のキートップ、及びこのキートップが押圧操作された際に、筐体内部の基板、ＦＰＣ基板（FPC：Flexible printed circuits）等に設けられたスイッチを直接的にオンオフするための押し子部を備えたラバーシートで構成されるのが一般的である。
【０００３】
ラバーシートは、筐体内部、基板、及びＦＰＣ基板に接触して各間隙部をシーリングしており、キートップが配置される筐体の上記開口部から筐体内に水や埃が侵入する不都合を防止している（防水性や防塵性を高めている。）。
【先行技術文献】
【特許文献】
【０００４】
【特許文献１】特開２００７−１４１０７６号公報
【特許文献２】特開２００８−１６６９９３号公報
【特許文献３】特開２００９−１２３６３２号公報
【発明の概要】
【発明が解決しようとする課題】
【０００５】
ここで、キートップは、外形が大きいほど、指を接触させる面積が増えるため、操作性を向上させる利点があるが、その反面、キートップの外形は、筐体の上記開口部の開口サイズを決定するため、キートップの外形が大きくなると、筐体の上記開口部の開口面積が大きくなり、筐体の強度を損なう問題がある。
【０００６】
すなわち、操作性を向上させるために、キートップの外形を筐体の外枠近傍まで最大限に大きくすると、このキートップが設けられる開口部の大きさも、筐体の外枠近傍まで最大限に広げることとなるため、筐体の強度を外枠のみで保持することとなり、筐体の強度を保持することが困難となる問題がある。
【０００７】
また、筐体の上記開口部を完全に塞いで防水性及び防塵性を確保するためには、キートップが設けられるラバーシートの外形を、キートップの外形より一回り大きな外形とする必要がある。
【０００８】
しかし、上述のようにキートップの外形を筐体の外枠近傍まで最大限に大きくしてしまうと、キートップの外形よりも大きな外形となるラバーシートを設けるエリアを筐体内部に確保することが困難となり、該ラバーシートによる防水性、防塵性を確保できないという問題を生ずる。
【０００９】
このように、キートップの外形の大きさと、筐体の強度及び防水性（防塵性）とはトレードオフの関係にあるため、従来、キートップは、筐体の外枠部分から一定の距離を確保して設ける必要があり、キートップの外形を筐体の外枠近傍まで最大限に大きくすることは困難となっていた。
【００１０】
キートップは、機器の外観を左右する部材の一つであり、多様なデザインや形状が求められているが、このような構造上の問題は、キートップや筐体のデザイン上の制約となる問題もある。
【００１１】
本発明は、上述の課題に鑑みてなされたものであり、キートップの外形を筐体の外枠近傍まで最大限に大きくしても、筐体の強度、及びラバーシートによる防水性、防塵性を確保することができ、また、キートップの外形を筐体の外枠近傍まで最大限に大きくすることを可能とすることで、キートップや筐体のデザインの自由化に貢献することができるようなボタンキー装置、及び携帯端末装置の提供を目的とする。
【課題を解決するための手段】
【００１２】
本発明に係るボタンキー装置は、上述の課題を解決するために、
筐体の一方の外枠部近傍から他方の外枠部近傍にかけて、直線的かつ連続的に該筐体を切り欠くことで形成された開口部と、
上記筐体の各外枠部から上記開口部の延設方向に沿ってそれぞれ突出するように、上記筐体に設けられた一対の強度保持用突出部と、
上記開口部に設けられた際に該開口部から突出する突出部と、上記開口部に設けられた際に上記一方の強度保持用突出部に対応する上記突出部の端部を延長して設けられた延設部と、上記開口部の延設方向に対して直交する両方向に沿ってそれぞれ突出するように設けられたフランジ部とを備えた第１のキートップ部と、
上記開口部に設けられた際に該開口部から突出する突出部と、上記開口部に設けられた際に上記他方の強度保持用突出部に対応する上記突出部の端部を延長して設けられ延設部と、上記開口部の延設方向に対して直交する両方向に沿ってそれぞれ突出するように設けられたフランジ部とを備え、上記開口部の延設方向に沿った上記第１のキートップ部の長さと、上記開口部の延設方向に沿った当該第２のキートップ部の長さとを加算した長さが、上記開口部の延設方向の長さと略々同じ長さとなるように形成された第２のキートップ部と、
上記第１のキートップ部の上記突出部に対して反対側の面部となる底面部に設けられた第１の浸水防止シートと、
上記第２のキートップ部の上記突出部に対して反対側の面部となる底面部に設けられ、上記第２のキートップ部が上記第１のキートップ部と共に上記開口部に設けられた際に、上記第１の浸水防止シートに対してオーバーラップするオーバーラップ部を備えた第２の浸水防止シートと、
上記筐体側に設けられ、上記第２の浸水防止シートの上記オーバーラップ部に接触することで、該オーバーラップ部に対して所定の圧力を加える加圧部と、
上記第１のキートップ部、及び上記第２のキートップ部に対応して、上記筐体内に収納される基板上にそれぞれ設けられたスイッチ部と、
上記第１のキートップ部と、当該第１のキートップ部に対応する上記スイッチ部との間に設けられ、該第１のキートップ部が押圧操作された際に、この押圧力を上記スイッチ部に伝達する第１の押し子部材と、
上記第２のキートップ部と、当該第２のキートップ部に対応する上記スイッチ部との間に設けられ、該第２のキートップ部が押圧操作された際に、この押圧力を上記スイッチ部に伝達する第２の押し子部材と
を有する。
【００１３】
このような本発明は、上記筐体の各外枠部から上記開口部の延設方向に沿ってそれぞれ突出するように上記筐体に設けられた一対の強度保持用突出部を有している。
【００１４】
第１のキートップ部を上記筐体の開口部に設ける場合、該第１のキートップ部の突出部を上記開口部から突出させると共に、この第１のキートップ部の延設部が、上記筐体に設けられた一方の強度保持用突出部上に位置するように、該第１のキートップ部を上記筐体の開口部に設ける。
【００１５】
同様に、第２のキートップ部を上記筐体の開口部に設ける場合、該第２のキートップ部の突出部を上記開口部から突出させると共に、この第２のキートップ部の延設部が、上記筐体に設けられた他方の強度保持用突出部上に位置するように、該第２のキートップ部を上記筐体の開口部に設ける。
【００１６】
上記筐体の開口部は、筐体の一方の外枠部近傍から他方の外枠部近傍にかけて、直線的かつ連続的に該筐体を切り欠くことで形成されている。また、この開口部に対応する筐体の各外枠部は、上記一対の強度保持用突出部により補強されている。
【００１７】
このため、開口部に対応する筐体の各外枠部の強度を確保したうえで、筐体の一方の外枠部近傍から他方の外枠部近傍までの長さに相当する大きな開口部を設けることができ、この開口部に対して設ける上記各キートップ部の外形を大きくすることができる。
【００１８】
また、キートップの外形を筐体の各外枠近傍まで最大限に大きくすることができるため、キートップや筐体のデザインの自由化に貢献することができる。
【００１９】
また、各キートップ部を上記筐体の開口部に設けると、各キートップ部の底面部に設けられた各浸水防止シートが上記開口部に密着した状態となる。このため、開口部を介して筐体内に水や埃が侵入する不都合を防止することができる。
【００２０】
また、各キートップ部を上記筐体の開口部に設けると、第２のキートップ部の底面部に設けられた第２の浸水防止シートのオーバーラップ部が、第１のキートップ部の底面部に設けられた第１の浸水防止シートに対してオーバーラップした状態となる。このオーバーラップ部に対しては、筐体側に設けられた加圧部が接触することで、該オーバーラップ部に対して所定の圧力を加える。これにより、各キートップ部が隣接する箇所に形成される間隙部から筐体内に水や埃が侵入する不都合を防止することができる。
【発明の効果】
【００２１】
本発明は、キートップ部の外形を筐体の各外枠近傍まで最大限に大きくしても、筐体の強度、及び浸水防止シートによる防水性、防塵性を確保可能とすることができる。換言すれば、本発明は、筐体の強度、及び浸水防止シートによる防水性、防塵性を確保したうえで、筐体の外枠近傍まで最大限に大きくしたキートップ部を設けることを可能とすることができる。
【００２２】
また、キートップ部の外形を筐体の各外枠近傍まで最大限に大きくすることができるため、キートップ部や筐体のデザインの自由化に貢献することができる。
【図面の簡単な説明】
【００２３】
【図１】本発明を適用した実施例となる携帯電話機の正面図である。
【図２】実施例となる携帯電話機の分解斜視図である。
【図３】実施例となる携帯電話機のフロント筐体に設けられている開口部を説明するための図である。
【図４】フロント筐体の開口部に設けられる第１のキートップ部を説明するための図である。
【図５】フロント筐体の開口部に設けられる第２のキートップ部を説明するための図である。
【図６】実施例の携帯電話機に設けられる押し子部材の斜視図である。
【図７】フロント筐体の開口部に対する第１のキートップ部及び第２のキートップ部の組み込み工程を説明するための図である。
【図８】第１のキートップ部及び第２のキートップ部を組み込んだ状態でフロント筐体を裏面側から見た図である。
【図９】フロント筐体の開口部に組み込まれた第１のキートップ部及び第２のキートップ部のシーリング用のオーバーラップを説明するための図である。
【図１０】第１のキートップ部及び第２のキートップ部のオーバーラップ部が筐体によって加圧されている様子、及び押し子部材による導光状態を説明するための図である。
【図１１】本発明を適用した実施例となる携帯電話機の変形例となる携帯電話機の正面図である。
【図１２】変形例となる携帯電話機に第１のキートップ部及び第２のキートップ部と共に設けられる中間キートップ部を説明するための図である。
【図１３】変形例となる携帯電話機の分解斜視図である。
【図１４】変形例となる携帯電話機に設けられる押し子部材の斜視図である。
【図１５】変形例となる携帯電話機のフロント筐体に対する第１のキートップ部、第２のキートップ部及び中間キートップ部の組み込み工程を説明するための図である。
【図１６】第１のキートップ部、第２のキートップ部、及び中間キートップ部を組み込んだ状態で、変形例となる携帯電話機のフロント筐体を裏面側から見た図である。
【図１７】フロント筐体の開口部に組み込まれた第１のキートップ部、第２のキートップ部、及び中間キートップ部のシーリング用のオーバーラップを説明するための図である。
【図１８】各キートップ部に設けられている浸水防水シートのオーバーラップ部を説明するための図である。
【図１９】実施例の携帯電話機の第２のキートップを設けた部分を、当該携帯電話機の長手方向に沿って切断した状態の要部の断面図である。
【図２０】実施例の携帯電話機第２のキートップを設けた部分を、当該携帯電話機の短手方向に沿って切断した状態の要部の断面図である。
【発明を実施するための形態】
【００２４】
本発明は、携帯電話機に適用することができる。
【００２５】
［携帯電話機の構成］
まず、図１に、この本発明を適用した実施例となる携帯電話機の正面図を、図２に、この実施例の携帯電話機の分解斜視図を示す。この図１及び図２からわかるように、この実施例の携帯電話機は、フロント側筐体１，リア側筐体２及び裏蓋３で筐体が形成されている。フロント側筐体１には、第１のキートップ部４、及び第２のキートップ部５が組み込まれる。
【００２６】
また、筐体内部には、基板６が収納されており、この基板６には、各キートップ部４，５を照光するための２つの発光ダイオード７（ＬＥＤ）、及び各キートップ部４，５に対応するドームスイッチ８を備えたシートキー９が設けられている。この基板６は、当該携帯電話機の内部構造体となるフレーム１０に組みつけられたうえで、筐体内に収納されるようになっている。フレーム１０には、表示部１１や、シートキー９のドームスイッチ８を押圧操作する押し子部材を装着するための押し子部材装着部１２が設けられている。フロント側筐体１は、上記フレーム１０に設けられた表示部１１上に位置するタッチパネルモジュール１３を有している。
【００２７】
図３（ａ）に、第１のキートップ部４及び第２のキートップ部５を装着していない状態のフロント側筐体１を正面から見た図を、図３（ｂ）に、図３（ａ）に示すフロント側筐体１のＡ−Ａ線断面図を示す。この図３（ａ）及び図３（ｂ）からわかるように、このフロント側筐体１には、当該フロント側筐体１の一方の外枠部１ａの極近傍から他方の外枠部１ｂの極近傍にかけて、当該筐体１を直線的かつ連続的に切り欠くことで形成された開口部１４が設けられている。
【００２８】
また、このフロント側筐体１には、上記各外枠部１ａ，１ｂから上記開口部１４の延設方向に沿ってそれぞれ突出すると共に、後述する各キートップ部４，５の各延設部との間に、該キートップ部４，５の押圧操作分の間隙部を形成するように設けられた一方の強度保持用突出部１５ａ、及び他方の強度保持用突出部１５ｂが設けられている。
【００２９】
図４（ａ）〜図４（ｅ）に、この開口部１４に設けられる第１のキートップ部４の正面図、上面図、底面図、右側面図、及び左側面図をそれぞれ示す。この図４（ａ）〜図４（ｅ）からわかるように、第１のキートップ部４は、上記開口部１４に設けられた際に該開口部１４から突出する突出部２０を有している。
【００３０】
また、この第１のキートップ部４は、突出部２０における上記開口部１４の延設方向に沿った端部である一端部２０ａ及び他端部２０ｂのうち、上記開口部１４に設けられた際に上記一方の強度保持用突出部１５ａに対応する側の端部となる上記一端部２０ａを延長するかたちで設けられ、かつ、上記一方の強度保持用突出部１５ａとの間に、当該第１のキートップ部４の押圧操作分の間隙部を形成するように上記突出部２０に設けられた延設部２１と、上記突出部２０を上記開口部１４から突出させた際に、当該第１のキートップ部４が上記開口部１４から抜け落ちないように、上記開口部１４の延設方向に対して直交する両方向に沿ってそれぞれ突出するように設けられたフランジ部２２とを備えている。
【００３１】
この第１のキートップ部４の上記突出部２０に対して反対側の面部となる底面部には、当該第１のキートップ部４よりも一回り大きな第１の浸水防止シート２５が接着されている。この第１の浸水防止シート２５は、防水性を有する例えばゴム部材等を略長方形状に加工すると共に、当該第１の浸水防止シート２５を第１のキートップ部４と共にフロント側筐体１に固定するための一対の固定用端部２６，２７を設けて形成されている。また、この第１の浸水防止シート２５には、図４（ｃ）に示すように当該第１の浸水防止シート２５の外縁部に沿って例えば黒色のインクで縁取りした遮光処理が施されている。この遮光処理により、発光ダイオード７からの光を効率的に第１のキートップ部４側に導光するようになっている。
【００３２】
次に、図５（ａ）〜図５（ｅ）に、この開口部１４に設けられる第２のキートップ部５の正面図、上面図、底面図、右側面図、及び左側面図をそれぞれ示す。この図５（ａ）〜図５（ｅ）からわかるように、第２のキートップ部５は、上記開口部１４に設けられた際に該開口部１４から突出する突出部３０を有している。
【００３３】
また、この第２のキートップ部５は、突出部３０における上記開口部１４の延設方向に沿った端部である一端部３０ａ及び他端部３０ｂのうち、上記開口部１４に設けられた際に上記他方の強度保持用突出部１５ｂに対応する側の端部となる上記他端部３０ｂを延長するかたちで設けられ、かつ、上記他方の強度保持用突出部１５ｂとの間に、当該第２のキートップ部５の押圧操作分の間隙部を形成するように上記突出部３０に設けられた延設部３１と、上記突出部３０を上記開口部１４から突出させた際に、当該第２のキートップ部５が上記開口部１４から抜け落ちないように、上記開口部１４の延設方向に対して直交する両方向に沿ってそれぞれ突出するように設けられたフランジ部３２とを備えている。
【００３４】
この第２のキートップ部５の上記突出部３０に対して反対側の面部となる底面部には、当該第２のキートップ部５よりも一回り大きな第２の浸水防止シート３５が接着されている。この第２の浸水防止シート３５は、防水性を有する例えばゴム部材等を略長方形状に加工すると共に、当該第２の浸水防止シート３５を第２のキートップ部５と共にフロント側筐体１に固定するための一対の固定用端部３６，３７を設けて形成されている。
【００３５】
また、この第２の浸水防止シート３５には、第２のキートップ部５が上記第１のキートップ部４と共に上記開口部１４に設けられた際に、上記第１の浸水防止シート２５に対してオーバーラップするオーバーラップ部３８が設けられている。
【００３６】
また、この第２の浸水防止シート３５には、図５（ｃ）に示すように当該第２の浸水防止シート３５の外縁部に沿って例えば黒色のインクで縁取りした遮光処理が施されている。この遮光処理により、発光ダイオード７からの光を効率的に第２のキートップ部５側に導光するようになっている。
【００３７】
このような第１のキートップ部４及び第２のキートップ部５は、各キートップ部４，５がそれぞれ略同じ長さで、かつ、該各キートップ部４，５を上記開口部１４に設けた際に、各キートップ部４，５の長さをそれぞれ加算した長さが、上記開口部１４の延設方向の長さと略々同じ長さとなるように形成されている。
【００３８】
なお、この例では、各キートップ部４，５はそれぞれ略同じ長さであることとしたが、各キートップ部４，５の長さをそれぞれ加算した長さが、上記開口部１４の延設方向の長さと略々同じ長さとなれば、第１のキートップ部４を第２のキートップ部５よりも長く形成してもよいし、反対に第２のキートップ部５を第１のキートップ部４よりも長く形成してもよい。
【００３９】
次に、図２に示したフレーム１０に設けられている押し子部材装着部１２に装着される押し子部材は、図６に示すように一本の略棒状の連結バー４０と、第１のキートップ部４及び当該第１のキートップ部４に対応する上記ドームスイッチ８との間に設けられ、該第１のキートップ部４が押圧操作された際に、この押圧力を上記ドームスイッチ８に伝達する第１の突出部４６が設けられた第１の押し子部材４１と、第２のキートップ部５及び当該第２のキートップ部５に対応する上記ドームスイッチ８との間に設けられ、該第２のキートップ部５が押圧操作された際に、この押圧力を上記ドームスイッチ８に伝達する第２の突出部４７が設けられた第２の押し子部材４２とを有している。
【００４０】
また、この押し子部材は、上記連結バー４０に対して上記第１の押し子部材４１を接続し、上記押圧操作に応じて湾曲する第１の支持部４３と、上記連結バー４０に対して上記第２の押し子部材４２を接続し、上記押圧操作に応じて湾曲する第２の支持部４４と、当該押し子部材をフレーム１０に固定するための、連結バー４０に設けられた一対の係止爪部４５とを有している。
【００４１】
このような押し子部材は、連結バー４０、第１の押し子部材４１、第１の支持部４３、第２の押し子部材４２、及び第２の支持部４４を、例えばポリカーボネイト樹脂等の、力を加えると湾曲し、力を加えるのを止めると元の形状に復帰し、かつ、例えば透明色や乳白色等の導光可能な部材で一体成形して形成されている。
【００４２】
次に、図７（ａ）〜図７（ｃ）に、フロント側筐体１に対する各キートップ部４，５の組み込み工程の流れを示す。この図７（ａ）〜図７（ｃ）は、上記開口部１４に沿ってフロント側筐体１を横に切断した断面を示している。
【００４３】
まず、フロント側筐体１に第１のキートップ部４を組み込む場合、図７（ａ）に示すように第１のキートップ部４の突出部２０を、フロント側筐体１の裏側から開口部１４に挿入する。これにより、第１のキートップ部４の突出部２０が開口部１４から突出すると共に、該第１のキートップ部４のフランジ部２２が開口部１４に引っ掛かった状態となる。そして、この状態のまま、第１のキートップ部４の延設部２１が、フロント側筐体１に設けられた一方の強度保持用突出部１５ａ上に位置するように、該第１のキートップ部４を一方の強度保持用突出部１５ａ側にスライド移動する。
【００４４】
次に、図７（ｂ）に示すように第２のキートップ部５の延設部３１を、フロント側筐体１の裏側から他方の強度保持用突出部１５ｂに引っ掛け、この状態で第２のキートップ部５の底面部を開口部１４方向に押圧する。これにより、第２のキートップ部５の突出部３０が開口部１４から突出すると共に、該第２のキートップ部５のフランジ部３２が開口部１４に引っ掛かった状態となる。
【００４５】
このように、第１のキートップ部４の延設部２１が、フロント側筐体１に設けられた一方の強度保持用突出部１５ａ上に位置するように、該第１のキートップ部４を一方の強度保持用突出部１５ａ側にスライド移動させ、また、第２のキートップ部５の延設部３１を、フロント側筐体１に設けられた他方の強度保持用突出部１５ｂに引っ掛けて、該第２のキートップ部５の底面部を開口部１４方向に押圧すると、図８に示すように第１の浸水防止シート２５に設けられた一対の固定用端部２６，２７、及び第２の浸水防止シート３５に設けられた一対の固定用端部３６，３７が、フロント側筐体１側に設けられた各突起部５０とそれぞれ係合し、フロント側筐体１の開口部１４に対して各キートップ部４，５が固定される。
【００４６】
フロント側筐体１の開口部１４は、筐体の一方の外枠部近傍から他方の外枠部近傍にかけて、直線的かつ連続的に該筐体を切り欠くことで形成されている。また、この開口部１４に対応するフロント筐体１の各外枠部は、上記一対の強度保持用突出部１５ａ，１５ｂにより補強されている。
【００４７】
このため、開口部１４に対応するフロント筐体１の各外枠部の強度を確保したうえで、フロント筐体１の一方の外枠部近傍から他方の外枠部近傍までの長さに相当する大きな開口部１４を設けることができ、この開口部１４に対して設ける上記各キートップ部４，５の外形を大きくすることができる。
【００４８】
また、各キートップ４，５の外形をフロント筐体１の各外枠近傍まで最大限に大きくすることができるため、キートップや筐体のデザインの自由化に貢献することができる。
【００４９】
また、各キートップ部４，５を上記フロント筐体１の開口部１４に設けると、各キートップ部４，５の底面部に設けられた各浸水防止シート２５，３５が上記開口部１４に密着した状態となる。このため、開口部１４を介して筐体内に水や埃が侵入する不都合を防止することができる。
【００５０】
ここで、図９（ａ）に、フロント側筐体１の開口部１４に対して組み込んだ状態の各キートップ部４，５を側面側から見た図を、図９（ｂ）に、フロント側筐体１の開口部１４に対して組み込んだ状態の各キートップ部４，５を底面部側から見た図を示す。この図９（ａ），（ｂ）からわかるように、フロント側筐体１の開口部１４に対して各キートップ部４，５を組み込むと、第２のキートップ部５の第２の浸水防止シート３５に設けられたオーバーラップ部３８が、第１のキートップ部４の第１の浸水防止シート２５の一部をオーバーラップした状態となる。後述するが、このオーバーラップ部３８には、フレーム１０に設けられた加圧部（図２の符号７０）が接触するようになっている。そして、この加圧部により、上記オーバーラップ部３８が加圧されることで、各キートップ部が隣接する箇所に形成される間隙部から筐体内に水や埃が侵入する不都合を防止するようになっている。
【００５１】
次に、フレーム１０に対する押し子部材の装着工程を説明する。図２に示すようにフレーム１０には、図６を用いて説明した押し子部材の連結バー４０を収納する溝部６０と、第１の押し子部材４１を収納する凹形状の第１の押し子部材収納部６１と、第２の押し子部材４２を収納する凹形状の第２の押し子部材収納部６２とを備えた押し子部材装着部１２が設けられている。
【００５２】
第１の押し子部材収納部６１には、第１の押し子部材４１の第１の突出部４６が挿入される孔部６３が設けられており、第２の押し子部材収納部６２には、第２の押し子部材４２の第２の突出部４７が挿入される孔部６４が設けられている。
【００５３】
また、溝部６０には、図６に示した押し子部材の一対の係止爪部４５がそれぞれ引っ掛かる係止用孔部（図示せず）が設けられている。
【００５４】
このような押し子部材装着部１２に対して押し子部材を装着する場合、押し子部材の連結バー４０を溝部６０に嵌め込み、第１の押し子部材４１の第１の突出部４６を、第１の押し子部材収納部６１の孔部６３に挿入したうえで、該第１の押し子部材４１を第１の押し子部材収納部６１に嵌め込むと共に、第２の押し子部材４２の第２の突出部４７を、第２の押し子部材収納部６２の孔部６４に挿入したうえで、該第２の押し子部材４２を第２の押し子部材収納部６２に嵌め込む。
【００５５】
これにより、図６に示した一対の係止爪部４５が、溝部６０内に設けられている係止用孔部に引っ掛かった状態となり、フレーム１０の押し子部材装着部１２に対して押し子部材が固定されることとなる。
【００５６】
次に、当該携帯電話機を組み立てる場合、上述のようにフロント筐体１に対して各キートップ部４，５を装着し、フレーム１０の押し子部材装着部１２に対して押し子部材を装着した状態で、図２に示すフロント筐体１及びリア側筐体２で形成される筐体内に、フレーム１０及び基板６を合わせて収納し、リア側筐体２に裏蓋３を装着する。これにより、当該携帯電話機が組み上がることとなる。
【００５７】
ここで、図２に示すようにフレーム１０の第１の押し子部材収納部６１及び第２の押し子部材収納部６２の間は、凸形状の加圧部７０となっている。この加圧部７０は、フロント筐体１及びリア側筐体２で形成される筐体内にフレーム１０を収納した際に、フロント筐体１に装着された各キートップ部４，５の上記オーバーラップ部３８に当接して、該オーバーラップ部３８を所定の圧力で加圧するようになっている。
【００５８】
このオーバーラップ部３８を図１８（ａ）〜図１８（ｆ）を用いて詳細に説明する。図１８（ａ）は、第２のキートップ部５に設けられている第２の浸水防止シート３５を、該第２のキートップ部５の底面部側から見た図、図１８（ｂ）は、この第２の浸水防止シート３５を、該第２のキートップ部５の右側面側から見た図、図１８（ｃ）は、この第２の浸水防止シート３５を、該第２のキートップ部５の左側面側から見た図、図１８（ｄ）は、この第２の浸水防止シート３５を、固定用端部３６，３７側から見た図である。また、図１８（ｅ）は、第１のキートップ部４に設けられている第１の浸水防止シート２５を、固定用端部２６，２７側から見た図、図１８（ｆ）は、オーバーラップした第１の浸水防止シート２５及び第１の浸水防止シート３５を、各固定用端部２６，２７，３６，３７側から見た図である。
【００５９】
まず、図１８（ｂ）〜（ｄ）からわかるように、第２の浸水防止シート３５は、当該第２の浸水防水シート３５を長手方向に沿って切断した断面、及び短手方向に沿って切断した断面が、それぞれ「Ｈ」形状となるように形成されている。すなわち、第２の浸水防止シート３５は、外枠部分が上下に突出した形状を有している。また、図１８（ｅ）に示すように、第１の浸水防止シート２５も、第２の浸水防水シート３５と同じく、長手方向に沿って切断した断面、及び短手方向に沿って切断した断面が、それぞれ「Ｈ」形状となるように形成されている。
【００６０】
また、第２の浸水防止シート３５のオーバーラップ部３８を形成する部分（＝第１の浸水防止シート２５とオーバーラップする部分）には、図１８（ｄ）に示すように、当該第２の浸水防止シート３５の下側から反延設方向に沿って突出した舌辺部１１５が設けられている。これに対して、第１の浸水防止シート２５のオーバーラップ部３８を形成する部分（＝第２の浸水防止シート３５とオーバーラップする部分）には、図１８（ｅ）に示すように、当該第１の浸水防止シート２５の上側から反延設方向に沿って突出した舌辺部１１６が設けられている。
【００６１】
このような第１の浸水防止シート２５と第２の浸水防止シート３５とがオーバーラップすると、図１８（ｆ）に示すように第２の浸水防止シート３５の下側から反延設方向に沿って突出した舌辺部１１５上に、第１の浸水防止シート２５の上側から反延設方向に沿って突出した舌辺部１１６が載置されるかたちで、該各浸水防止シート２５，３５が重なり、上記オーバーラップ部３８を形成する。
【００６２】
図１０に、このオーバーラップ部３８の部分の拡大断面図を示す。この１０からわかるように、フロント筐体１及びリア側筐体２で形成される筐体内にフレーム１０を収納すると、フロント筐体１に装着された各キートップ部４，５の上記オーバーラップ部３８に対して、フレーム１０の凸形状の加圧部７０が接触する。これにより、上記オーバーラップ部３８が加圧部７０により加圧される。
【００６３】
また、図１９に、当該携帯電話機の長手方向に沿って、上記第２のキートップ５を設けた部分を切断した状態の要部の断面図を、図２０に、当該携帯電話機の短手方向に沿って、上記第２のキートップ５を設けた部分を切断した状態の要部の断面図を示す。この図１９及び図２０からわかるように、第２のキートップ５に設けられた第２の浸水防水シート３５は、上述のように外枠部分が上下に突出することで、長手方向に沿って切断した断面、及び短手方向に沿って切断した断面がそれぞれ「Ｈ」形状となっているため、この上側の突出した部分はフロント側筐体１に密着し、下側の突出した部分はフレーム１０に密着する。なお、第１のキートップ部４に設けられている第１の浸水防止シート２５も、この第２の浸水防止シート３５と同じく、フロント側筐体１、及びフレーム１０に密着する。
【００６４】
各キートップ部４，５を上記開口部１４に対して隣接させて設けると、図１０に示すように各キートップ部４，５の間に、僅かながらではあるが間隙部７１が形成され、また、図１９及び図２０に示すように、各キートップ４，５の外周部と開口部１４との間に、僅かながらではあるが間隙部が形成される。そして、これらの間隙部を介して筐体内に水や埃が侵入するおそれがある。なお、この図１０の間隙部７１や、図１９及び図２０の間隙部は、理解を容易とするために大きめの間隙部として図示している。
【００６５】
しかし、当該実施例の携帯電話機の場合、各キートップ部４，５に設けられた上記「Ｈ」形状を有する各浸水防止シート２５，３５の外周部分が、該各キートップ部４，５を取り囲むかたちでフロント筐体１及びフレーム１０に密着する。このため、各キートップ部４，５と開口部１４との間の間隙部から筐体内に水や埃が侵入する不都合を防止することができる。
【００６６】
また、各キートップ部４，５が隣接する上記間隙部７１に対応する部分には、第１の浸水防止シート２５の舌辺部１１６と、第２の浸水防止シート３５の舌辺部１１５とがオーバーラップしてオーバーラップ部３８を形成するため、該各キートップ部４，５の上記間隙部７１から筐体内に水や埃が侵入する不都合を防止することができる。しかも、このオーバーラップ部３８には、フレーム１０の凸形状の加圧部７０が接触して該オーバーラップ部３８を加圧するため、上記間隙部７１から筐体内に水や埃が侵入する不都合を、より強力に防止することができる。
【００６７】
なお、各キートップ部４，５を開口部１４に設けた際に、該各キートップ部４，５の延設部２１，３１と、フロント筐体１の各強度保持用突出部１５ａ，１５ｂとの間にそれぞれ形成される間隙部に対して、ゴム部材等の弾力性を有するシールド部材を介在させてもよい。これにより、上記間隙部を介して筐体内に水や埃が侵入する不都合を、さらに強力に防止することができる。
【００６８】
また、この例においては、フレーム１０の第１の押し子部材収納部６１及び第２の押し子部材収納部６２の間に凸形状の加圧部７０が形成されていることとしたが、この加圧部は、基板６やリア筐体２に形成してもよい。すなわち、フロント筐体１以外の筐体側に設けられており、上記オーバーラップ部３８を加圧する凸部であれば、どこに設けられていてもよい。
【００６９】
このような携帯電話機において、一例ではあるが第１のキートップ部４は総合メニューの表示指定キー、第２のキートップ部５は電話のオンフック／オフフックキーとなっている。第２のキートップ部５を押圧操作すると、図１０に示すように、この第２のキートップ部５を押圧操作した力が第２の押し子部材４２に伝達され、連結バー４０に対して第２の押し子部材４２を接続している第２の支持部４４が湾曲し、第２の突出部４７により、基板６上に設けられたドームスイッチ８が押圧操作される。これにより、電話のオンフック操作及びオフフック操作を行うことができる。
【００７０】
第１のキートップ部４を押圧操作する場合も同様であり、この第１のキートップ部４を押圧操作した力は、第１の押し子部材４１に伝達され、連結バー４０に対して第１の押し子部材４１を接続している第１の支持部４３が湾曲し、第１の突出部４６により、基板６上に設けられたドームスイッチ８が押圧操作される。これにより、当該携帯電話機の総合メニューの表示操作及び非表示操作を行うことができる。
【００７１】
ここで、キートップは、外観上の質感を向上させるため、塗装や印刷等により加飾されることがあるが、これと共に操作上の表示として文字、数字、シンボル等のアイコン部と共に設けられることが多い。また、暗い環境下での操作を可能とするために、筐体内部の基板等に設けられた発光ダイオード（LED ：Light Emitting Diode)からの光を導光可能な材料で該キートップを形成し、キートップ上のアイコン部とそれ以外の照光のコントラストをつけてアイコン部の視認性を確保するという手法が一般的である。
【００７２】
ただ、キートップと発光ダイオードが設けられた筐体内部の基板との間に、該筐体厚み方向の距離がある場合、キートップ単体では、直接的に基板上のドームスイッチをオンオフする押し子構造の形成が困難であり、また、基板面に実装されたキー照光用のＬＥＤからの導光が不安定になる問題がある。
【００７３】
このため、当該実施例の携帯電話機の場合、図６を用いて説明したように、フレーム１０に対して押し子機能及び導光機能を兼ね備えた押し子部材を組み付けることによって、この問題を解決している。
【００７４】
具体的には、この押し子部材は、図６に示した第１の用押し子部材４１及び第２の押し子部材４２が、各キートップ部４，５に対する座面部４１ａ，４２ａを有しており、各キートップ部４，５の押圧力を、第１の突出部４６、及び第２の突出部４７を介して各ドームスイッチ８に伝達する押し子構造を有している。
【００７５】
この押し子構造は、第１の支持部４３及び第２の支持部４４により、いわゆる片持ち梁構造で連結バー４０に接続されることにより、各キートップ部４，５を押圧操作した際に、この押圧操作に連動させて第１の支持部４３及び第２の支持部４４を撓ませることが可能となり、上記押圧力をドームスイッチ８に伝達して該ドームスイッチ８のオンオフ操作を可能としている。
【００７６】
また、この押し子部材は、透明色、或いは乳白色等の導光に適した部材で形成されると共に、図１０に示すように発光ダイオード７からの光を各キートップ部４，５側に導光及び拡散するための所定の傾斜角度の切り欠き加工部７５を有している。これにより、発光ダイオード７からの光をムラ無く安定して各キートップ部４，５側に導光及び拡散することができる。
【００７７】
このように当該実施例の携帯電話機は、フレーム１０に対して押し子機能及び導光機能を兼ね備えた押し子部材を組み付けることによって、各キートップ部４，５と発光ダイオード７が設けられた筐体内部の基板６との間に、該筐体厚み方向の距離がある場合でも、直接的に基板６上のドームスイッチ８をオンオフ操作する押し子構造を実現し、また、基板６に設けられた発光ダイオード７からの光を、ムラ無く安定して各キートップ部４，５側に導光及び拡散する導光機能を実現している。
【００７８】
［実施例の効果］
以上の説明から明らかなように、この実施例の携帯電話機は、以下の効果を得ることができる。
【００７９】
１．第１のキートップ部４及び第２のキートップ部５に対して延設部２１，３１を設けると共に、開口部１４に対応するフロント筐体１の各外枠部に対して一対の強度保持用突出部１５ａ，１５ｂを設けた樹脂接続構造により、筐体自体の構成と筐体強度の確保を可能とすることができる。
【００８０】
２，第１のキートップ部４及び第２のキートップ部５を１枚の浸水防止シートに接着した一体方式とすると、各キートップ部４，５と各強度保持用突出部１５ａ，１５ｂとが干渉して、フロント筐体１の裏面側から各キートップ部４，５を組み込むことが困難となるが、この実施例の携帯電話機の場合、各キートップ部４，５をそれぞれ単体の部品としているため、各強度保持用突出部１５ａ，１５ｂが設けられているフロント筐体１の開口部１４に対して、各キートップ部４，５を簡単に組み込むことを可能とすることができる。
【００８１】
３．各キートップ部４，５と基板６に設けられたドームスイッチ８との間に、筐体の厚み方向の距離が存在することで、各キートップ部４，５のみでは防水性及び防塵性を図ることが困難となるが、当該実施例の携帯電話機では、各キートップ部４，５を開口部１４に対して組み込んで当該携帯電話機を組み立てた際に、各キートップ部４，５に設けられた各浸水防止シート２５，３５の外周部（断面Ｈ形状を形成する上下の凸部）が、フロント側筐体１、及びフレーム１０にそれぞれ密着することで、シーリング構造をクローズすることができ、各キートップ部４，５と開口部１４との間隙部から筐体内に水やほこりが進入する不都合を防止して、防水・防塵性の確保を可能とすることができる。
【００８２】
４．各キートップ部４，５が隣接する上記間隙部７１に対応する部分には、第１の浸水防止シート２５の舌辺部１１６と、第２の浸水防止シート３５の舌辺部１１５とがオーバーラップしてオーバーラップ部３８を形成するため、該各キートップ部４，５の上記間隙部７１から筐体内に水や埃が侵入する不都合を防止することができる。しかも、このオーバーラップ部３８には、フレーム１０の凸形状の加圧部７０が接触して該オーバーラップ部３８を加圧するため、上記間隙部７１から筐体内に水や埃が侵入する不都合を、より強力に防止することができる。
【００８３】
５．各キートップ部４，５と基板６に設けられたドームスイッチ８との間に、筐体の厚み方向の距離が存在するため、各キートップ部４，５のみで基板６上のドームスイッチ８を直接的にオンオフ操作し、また、発光ダイオード７からの導光も困難となるが、当該実施例の携帯電話機の場合、フレーム１０に対して押し子機能、及び導光機能を兼ね備えた押し子部材を組み込むことで、押し子構造及び導光構造を上記押し子部材一つのみの部品で実現している。このため、各キートップ部４，５と基板６に設けられたドームスイッチ８との間の距離を補完するために、特別な基板やフレキシブル基板等を用いる必要がなく、安価に実現可能とすることができる。
【００８４】
６．従来のボタンキーのクリック操作感や照光機能を備えたまま、各キートップ部４，５の外形幅を広く取ることができ、さらなる押しやすさの確保、及びフロント側筐体１上のタッチパネルモジュール１３との外形幅とをマッチさせることによる連続感の創出といった意匠面でのバリューアップを可能とすることができる。
【００８５】
［実施例の変形例］
次に、このような実施例の携帯電話機の変形例を説明する。上述の実施例の携帯電話機の場合、第１のキートップ部４及び第２のキートップ部５の、計２つのキートップ部を設けた例であったが、この変形例となる携帯電話機は、３つ以上のキートップ部を設けた携帯電話機である。なお、キートップ部の数としては、３つ以上であれば、いくつでも良いのであるが、以下、第１のキートップ部４及び第２のキートップ部５の間に、図１１に示すように中間キートップ部８０を設けることで、計３つのキートップ部とした例に基づいて説明を進める。
【００８６】
図１２（ａ）〜図１２（ｅ）に、この変形例の携帯電話機に設けられる中間キートップ部８０の正面図、上面図、底面図、右側面図、及び左側面図をそれぞれ示す。この図１２（ａ）〜図１２（ｅ）からわかるように、中間キートップ部８０は、上記開口部１４に設けられた際に該開口部１４から突出する突出部８１と、上記突出部８１を上記開口部１４から突出させた際に、当該中間キートップ部８０が上記開口部１４から抜け落ちないように、上記開口部１４の延設方向に対して直交する両方向に沿ってそれぞれ突出するように設けられたフランジ部８２とを有している。
【００８７】
この中間キートップ部８０は、上記第１のキートップ部４及び上記第２のキートップ部５の間に設けられるため、該中間キートップ部８０の両端部８０ａ，８０ｂは、第１のキートップ部４の他端部２０ｂ、及び第２のキートップ部５の一端部３０ａの間に隙間を形成しないように、突出部８１の突出方向に沿って垂直に切り欠き加工されている。
【００８８】
この中間キートップ部８０の上記突出部８１に対して反対側の面部となる底面部には、当該中間キートップ部８０よりも一回り大きな中間浸水防止シート８３が接着されている。この中間浸水防止シート８３は、防水性を有する例えばゴム部材等を略長方形状に加工すると共に、当該中間浸水防止シート８３を中間キートップ部８０と共にフロント側筐体１に固定するための一対の固定用端部８４，８５を設けて形成されている。
【００８９】
また、この中間浸水防止シート８３は、第１キートップ部４及び上記第２のキートップ部５と同様に、図１８（ａ）〜図１８（ｆ）を用いて説明したように外周部が上下に突出した断面Ｈ形状を有しており、当該携帯電話機を組み立てた際に、フロント側筐体１及びフレーム１０に密着して、各キートップ部４，５と当該中間キートップ部８０との間の間隙部、及び当該中間キートップ部８０と開口部１４との間の間隙部から筐体内に水や埃が進入する不都合を防止している。
【００９０】
また、この中間浸水防止シート８３には、図１２（ｃ）に示すように当該中間浸水防止シート８３の外縁部に沿って例えば黒色のインクで縁取りした遮光処理が施されている。この遮光処理により、発光ダイオード７からの光を効率的に中間キートップ部８０側に導光するようになっている。
【００９１】
また、この中間浸水防止シート８３には、中間キートップ部８０が上記第１のキートップ部４及び第２のキートップ部５と共に上記開口部１４に設けられた際に、上記第１の浸水防止シート２５に対してオーバーラップするオーバーラップ部８６、及び上記第２の浸水防止シート３５に対してオーバーラップするオーバーラップ部８７が設けられている。
【００９２】
なお、上述の実施例の携帯電話機の場合、第２のキートップ部５がオーバーラップ部３８を有していたが、この変形例の携帯電話機の場合、第２のキートップ部５がオーバーラップ部３８を有していない代わりに、中間キートップ部８０が、第１の浸水防止シート２５に対してオーバーラップするオーバーラップ部８６、及び上記第２の浸水防止シート３５に対してオーバーラップするオーバーラップ部８７を有する構成となっている。
【００９３】
このような中間キートップ部８０は、上記開口部１４の延設方向に沿った上記第１のキートップ部４の長さと、上記開口部１４の延設方向に沿った上記第２のキートップ部５の長さと、上記開口部１４の延設方向に沿った当該中間キートップ部８０の長さとを加算した長さが、上記開口部１４の延設方向の長さと略々同じ長さとなるように形成されている。
【００９４】
一例ではあるが、この例の場合、第１のキートップ部４はオフフックキー、第２のキートップ部５はオンフックキー、中間キートップ部８０は総合メニューの表示指定キーとなっており、第１のキートップ部４及び第２のキートップ部５は略同じ長さで、該各キートップ部４，５の間に設けられる中間キートップ部８０は、該各キートップ部４，５よりも若干長めの長さを有している。
【００９５】
次に、この変形例の携帯電話機の場合、図１３に示すフレーム１０に設けられている押し子部材装着部１２に装着される押し子部材は、図１４に示すように一本の略棒状の連結バー９０と、第１のキートップ部４及び当該第１のキートップ部４に対応する上記ドームスイッチ８との間に設けられ、該第１のキートップ部４が押圧操作された際に、この押圧力を上記ドームスイッチ８に伝達する第１の突出部９１が設けられた第１の押し子部材９２と、第２のキートップ部５及び当該第２のキートップ部５に対応する上記ドームスイッチ８との間に設けられ、該第２のキートップ部５が押圧操作された際に、この押圧力を上記ドームスイッチ８に伝達する第２の突出部９３が設けられた第２の押し子部材９４とを有している。
【００９６】
また、この変形例の携帯電話機の場合、押し子部材は、中間キートップ部８０及び当該中間キートップ部８０に対応する上記ドームスイッチ８との間に設けられ、該中間キートップ部８０が押圧操作された際に、この押圧力を上記ドームスイッチ８に伝達する中間突出部９５が設けられた中間押し子部材９６を有している。
【００９７】
また、この押し子部材は、上記連結バー９０に対して上記第１の押し子部材９２を接続し、上記押圧操作に応じて湾曲する第１の支持部９７と、上記連結バー９０に対して上記第２の押し子部材９４を接続し、上記押圧操作に応じて湾曲する第２の支持部９８と、上記連結バー９０に対して上記中間押し子部材９６を接続し、上記押圧操作に応じて湾曲する中間支持部９９と、当該押し子部材をフレーム１０に固定するための、連結バー９０に設けられた一対の係止爪部１００とを有している。
【００９８】
このような押し子部材は、連結バー９０、第１の押し子部材９２、第１の支持部９７、第２の押し子部材９４、第２の支持部９８、中間押し子部材９６、及び中間支持部９９を、例えばポリカーボネイト樹脂等の、力を加えると湾曲し、力を加えるのを止めると元の形状に復帰し、かつ、例えば透明色や乳白色等の導光可能な部材で一体成形して形成されている。
【００９９】
次に、図１５（ａ）〜図１５（ｄ）に、フロント側筐体１に対する各キートップ部４，５，８０の組み込み工程の流れを示す。この図１５（ａ）〜図１５（ｄ）は、上記開口部部１４に沿ってフロント側筐体１を横に切断した断面を示している。
【０１００】
まず、フロント側筐体１に第１のキートップ部４を組み込む場合、図１５（ａ）に示すように第１のキートップ部４の突出部２０を、フロント側筐体１の裏側から開口部１４に挿入する。これにより、第１のキートップ部４の突出部２０が開口部１４から突出すると共に、該第１のキートップ部４のフランジ部２２が開口部１４に引っ掛かった状態となる。そして、この状態のまま、第１のキートップ部４の延設部２１が、フロント側筐体１に設けられた一方の強度保持用突出部１５ａ上に位置するように、該第１のキートップ部４を一方の強度保持用突出部１５ａ側にスライド移動する。
【０１０１】
次に、図１５（ｂ）に示すように第２のキートップ部５の突出部３０を、フロント側筐体１の裏側から開口部１４に挿入する。これにより、第２のキートップ部５の突出部３０が開口部１４から突出すると共に、該第２のキートップ部５のフランジ部３２が開口部１４に引っ掛かった状態となる。そして、この状態のまま、第２のキートップ部５の延設部３１が、フロント側筐体１に設けられた他方の強度保持用突出部１５ｂ上に位置するように、該第２のキートップ部５を他方の強度保持用突出部１５ｂ側にスライド移動する。
【０１０２】
次に、図１５（ｃ）に示すように中間キートップ部８０の突出部８１を、フロント側筐体１の裏側から、上記第１のキートップ部４及び第２のキートップ部５との間に相当する開口部１４に挿入する。これにより、中間キートップ部８０の突出部８１が開口部１４から突出すると共に、該中間キートップ部８０のフランジ部８２が開口部１４に引っ掛かった状態となり、該中間キートップ部８０が、図１５（ｄ）に示すように第１のキートップ部４及び第２のキートップ部５の間に設けられる。
【０１０３】
このように、第１のキートップ部４の延設部２１が、フロント側筐体１に設けられた一方の強度保持用突出部１５ａ上に位置するように、該第１のキートップ部４を一方の強度保持用突出部１５ａ側にスライド移動させ、また、第２のキートップ部５の延設部３１が、フロント側筐体１に設けられた他方の強度保持用突出部１５ｂ上に位置するように、該第２のキートップ部５を他方の強度保持用突出部１５ｂ側にスライド移動させると共に、各キートップ部４，５の間に挿入するかたちで中間キートップ部８０を設けると、図１６に示すように第１の浸水防止シート２５に設けられた一対の固定用端部２６，２７、第２の浸水防止シート３５に設けられた一対の固定用端部３６，３７、及び中間浸水防止シート８３に設けられた一対の固定用端部８４，８５が、フロント側筐体１側に設けられた各突起部５０とそれぞれ係合し、フロント側筐体１の開口部１４に対して各キートップ部４，５，８０が固定される。
【０１０４】
フロント側筐体１の開口部１４は、筐体の一方の外枠部近傍から他方の外枠部近傍にかけて、直線的かつ連続的に該筐体を切り欠くことで形成されている。また、この開口部１４に対応するフロント筐体１の各外枠部は、上記一対の強度保持用突出部１５ａ，１５ｂにより補強されている。
【０１０５】
このため、開口部１４に対応するフロント筐体１の各外枠部の強度を確保したうえで、フロント筐体１の一方の外枠部近傍から他方の外枠部近傍までの長さに相当する大きな開口部１４を設けることができ、この開口部１４に対して設ける上記各キートップ部４，５，８０の外形を大きくすることができる。特に、フロント筐体１の両脇に位置する第１のキートップ部４の外形、及び第２のキートップ部５の外形は、フロント筐体１の各外枠近傍まで最大限に大きくすることができる。
【０１０６】
また、当該変形例の携帯電話機は、このように各キートップ部４，５，８０の外形を大きくすることができるため、キートップや筐体のデザインの自由化に貢献することができる。
【０１０７】
ここで、図１７（ａ）に、フロント側筐体１の開口部１４に対して組み込んだ状態の各キートップ部４，５，８０を側面側から見た図を、図１７（ｂ）に、フロント側筐体１の開口部１４に対して組み込んだ状態の各キートップ部４，５，８０を底面部側から見た図を示す。この図１７（ａ），（ｂ）からわかるように、フロント側筐体１の開口部１４に対して各キートップ部４，５，８０を組み込むと、中間キートップ部８０の中間浸水防止シート８３に設けられたオーバーラップ部８６が、第１のキートップ部４の第１の浸水防止シート２５の一部をオーバーラップした状態となると共に、上記中間浸水防止シート８３に設けられたオーバーラップ部８７が、第２のキートップ部５の第２の浸水防止シート３５の一部をオーバーラップした状態となる。後述するが、この各オーバーラップ部８６，８７には、フレーム１０に設けられた加圧部（図１３の符号１０５，１０６）がそれぞれ接触するようになっている。
【０１０８】
次に、フレーム１０に対する押し子部材の装着工程を説明する。図１３に示すようにフレーム１０には、図１４を用いて説明した押し子部材の連結バー９０を収納する溝部１０７と、第１の押し子部材９２を収納する凹形状の第１の押し子部材収納部１０８と、第２の押し子部材９４を収納する凹形状の第２の押し子部材収納部１０９と、中間押し子部材９６を収納する凹形状の中間押し子部材収納部１１０とを備えた押し子部材装着部１２が設けられている。
【０１０９】
第１の押し子部材収納部１０８には、第１の押し子部材９２の第１の突出部９１が挿入される孔部１１１が設けられており、第２の押し子部材収納部１０９には、第２の押し子部材９４の第２の突出部９３が挿入される孔部１１２が設けられており、中間押し子部材収納部１１０には、中間押し子部材９６の中間突出部９５が挿入される孔部１１３が設けられている。
【０１１０】
また、溝部１０７には、図１４に示した押し子部材の一対の係止爪部１００がそれぞれ引っ掛かる係止用孔部（図示せず）が設けられている。
【０１１１】
このような押し子部材装着部１２に対して押し子部材を装着する場合、押し子部材の連結バー９０を溝部１０７に嵌め込み、第１の押し子部材９２の第１の突出部９１を、第１の押し子部材収納部１０８の孔部１１１に挿入したうえで、該第１の押し子部材９２を第１の押し子部材収納部１０８に嵌め込む。また、第２の押し子部材９４の第２の突出部９３を、第２の押し子部材収納部１０９の孔部１１２に挿入したうえで、該第２の押し子部材９４を第２の押し子部材収納部１０９に嵌め込む。さらに、中間押し子部材９６の中間突出部９５を、中間押し子部材収納部１１０の孔部１１３に挿入したうえで、該中間押し子部材９６を中間押し子部材収納部１１０に嵌め込む。
【０１１２】
これにより、図１４に示した一対の係止爪部１００が、溝部１０７内に設けられている係止用孔部に引っ掛かった状態となり、フレーム１０の押し子部材装着部１２に対して押し子部材が固定されることとなる。
【０１１３】
次に、当該携帯電話機を組み立てる場合、上述のようにフロント筐体１に対して各キートップ部４，５，８０を装着し、フレーム１０の押し子部材装着部１２に対して押し子部材を装着した状態で、図１３に示すフロント筐体１及びリア側筐体２で形成される筐体内に、フレーム１０及び基板６を合わせて収納し、リア側筐体２に裏蓋３を装着する。これにより、当該変形例の携帯電話機が組み上がることとなる。
【０１１４】
ここで、図１３に示すようにフレーム１０の第１の押し子部材収納部１０８及び中間押し子部材収納部１１０の間は、凸形状の加圧部１０５となっている。また、第２の押し子部材収納部１０９及び中間押し子部材収納部１１０の間も、凸形状の加圧部１０６となっている。この加圧部１０５，１０６は、フロント筐体１及びリア側筐体２で形成される筐体内にフレーム１０を収納した際に、フロント筐体１に装着された中間キートップ部８０の上記各オーバーラップ部８６，８７に当接して、該オーバーラップ部８６，８７を所定の圧力で加圧するようになっている。
【０１１５】
各キートップ４，５，８０に設けられている各浸水防水シート２５，３５，８３は、上述のように外枠部分が上下に突出することで、長手方向に沿って切断した断面、及び短手方向に沿って切断した断面がそれぞれ「Ｈ」形状となっている。このため、図１９及び図２０を用いて説明したように、各浸水防水シート２５，３５，８３は、この上側の突出した部分はフロント側筐体１に密着し、下側の突出した部分はフレーム１０に密着する。
【０１１６】
各キートップ部４，５，８０を上記開口部１４に対して隣接させて設けると、図１０に示したように各キートップ部４，５，８０の間に、僅かながらではあるが間隙部７１が形成され、また、図１９及び図２０に示したように、各キートップ４，５，８０の外周部と開口部１４との間に、僅かながらではあるが間隙部が形成される。そして、これらの間隙部を介して筐体内に水や埃が侵入するおそれがある。
【０１１７】
しかし、当該実施例の変形例となる携帯電話機の場合、各キートップ部４，５，８０に設けられた上記「Ｈ」形状を有する各浸水防止シート２５，３５，８３の外周部分が、該各キートップ部４，５を取り囲むかたちでフロント筐体１及びフレーム１０に密着する。このため、各キートップ部４，５と開口部１４との間の間隙部から筐体内に水や埃が侵入する不都合を防止することができる。
【０１１８】
また、中間キートップ部８０と、各キートップ部４，５とがそれぞれ隣接する間隙部に対応する部分には、中間キートップ部８０の中間浸水防止シート８３と、各キートップ部４，５の各浸水防水シート２５，３５とがオーバーラップしてオーバーラップ部８６，８７をそれぞれ形成するため、上記各間隙部から筐体内に水や埃が侵入する不都合を防止することができる。しかも、このオーバーラップ部８６，８７には、フレーム１０の凸形状の加圧部１０５，１０６が接触して該各オーバーラップ部８６，８７を加圧するため、上記各間隙部から筐体内に水や埃が侵入する不都合を、より強力に防止することができる。
【０１１９】
なお、各キートップ部４，５を開口部１４に設けた際に、該各キートップ部４，５の延設部２１，３１と、フロント筐体１の各強度保持用突出部１５ａ，１５ｂとの間にそれぞれ形成される間隙部に対して、ゴム部材等の弾力性を有するシールド部材を介在させてもよい。これにより、上記間隙部を介して筐体内に水や埃が侵入する不都合を、さらに強力に防止することができる。
【０１２０】
また、この例においては、フレーム１０の第１の押し子部材収納部１０８及び中間押し子部材収納部１１０の間に凸形状の加圧部１０５が設けられ、また、第２の押し子部材収納部１０９及び中間押し子部材収納部１１０の間に凸形状の加圧部１０６が設けられていることとしたが、この加圧部は、基板６やリア筐体２に形成してもよい。すなわち、フロント筐体１以外の筐体側に設けられており、上記各オーバーラップ部８６，８７を加圧する凸部であれば、どこに設けられていてもよい。
【０１２１】
このような変形例となる携帯電話機において、一例ではあるが第１のキートップ部４は電話のオフフックキー、第２のキートップ部５は電話のオンフックキー、中間キートップ部８０は総合メニューの表示指定キーとなっている。第１のキートップ部４を押圧操作すると、図１０に示したように、この第１のキートップ部４を押圧操作した力が第１の押し子部材９２に伝達され、連結バー９０に対して第１の押し子部材９２を接続している第１の支持部９７が湾曲し、第１の突出部９１により、基板６上に設けられたドームスイッチ８が押圧操作される。これにより、電話のオフフック操作を行うことができる。
【０１２２】
また、第２のキートップ部５を押圧操作すると、図１０に示したように、この第２のキートップ部５を押圧操作した力が第２の押し子部材９４に伝達され、連結バー９０に対して第２の押し子部材９４を接続している第２の支持部９８が湾曲し、第２の突出部９３により、基板６上に設けられたドームスイッチ８が押圧操作される。これにより、電話のオンフック操作を行うことができる。
【０１２３】
また、中間キートップ部８０を押圧操作すると、図１０に示したように、この中間キートップ部８０を押圧操作した力が中間押し子部材９６に伝達され、連結バー９０に対して中間押し子部材９６を接続している中間支持部９９が湾曲し、中間突出部９５により、基板６上に設けられたドームスイッチ８が押圧操作される。これにより、当該携帯電話機の総合メニューの表示操作及び非表示操作を行うことができる。
【０１２４】
ここで、キートップは、外観上の質感を向上させるため、塗装や印刷等により加飾されることがあるが、これと共に操作上の表示として文字、数字、シンボル等のアイコン部と共に設けられることが多い。また、暗い環境下での操作を可能とするために、筐体内部の基板等に設けられた発光ダイオード（LED ：Light Emitting Diode)からの光を導光可能な材料で該キートップを形成し、キートップ上のアイコン部とそれ以外の照光のコントラストをつけてアイコン部の視認性を確保するという手法が一般的である。
【０１２５】
ただ、キートップと発光ダイオードが設けられた筐体内部の基板との間に、該筐体厚み方向の距離がある場合、キートップ単体では、直接的に基板上のドームスイッチをオンオフする押し子構造の形成が困難であり、また、基板面に実装されたキー照光用の発光ダイオードからの導光が不安定になる問題がある。
【０１２６】
このため、当該実施例の変形例となる携帯電話機の場合、図１４を用いて説明したように、フレーム１０に対して押し子機能及び導光機能を兼ね備えた押し子部材を組み付けることによって、この問題を解決している。
【０１２７】
具体的には、この押し子部材は、図１４に示した第１の用押し子部材９２、第２の押し子部材９４、及び中間押し子部材９６が、各キートップ部４，５，８０に対する座面部９２ａ，９４ａ，９６ａを有しており、各キートップ部４，５，８０の押圧力を、第１の突出部９１、第２の突出部９３、及び中間突出部９５を介して各ドームスイッチ８に伝達する押し子構造を有している。
【０１２８】
この押し子構造は、第１の支持部９７、第２の支持部９８、及び中間支持部９９により、いわゆる片持ち梁構造で連結バー９０に接続されることにより、各キートップ部４，５，８０を押圧操作した際に、この押圧操作に連動させて第１の支持部９７、第２の支持部９８、及び中間支持部９９を撓ませることが可能となり、上記押圧力をドームスイッチ８に伝達して該ドームスイッチ８のオンオフ操作を可能としている。
【０１２９】
また、この押し子部材は、透明色、或いは乳白色等の導光に適した部材で形成されると共に、図１０に示したように発光ダイオード７からの光を各キートップ部４，５，８０側に導光及び拡散するための所定の傾斜角度の切り欠き加工部７５を有している。これにより、発光ダイオード７からの光をムラ無く安定して各キートップ部４，５，８０側に導光及び拡散することができる。
【０１３０】
このように当該実施例の変形例となる携帯電話機は、フレーム１０に対して押し子機能及び導光機能を兼ね備えた押し子部材を組み付けることによって、各キートップ部４，５，８０と発光ダイオード７が設けられた筐体内部の基板６との間に、該筐体厚み方向の距離がある場合でも、直接的に基板６上のドームスイッチ８をオンオフ操作する押し子構造を実現し、また、基板６に設けられた発光ダイオード７からの光を、ムラ無く安定して各キートップ部４，５側に導光及び拡散する導光機能を実現している。
【０１３１】
［実施例の変形例の効果］
以上の説明から明らかなように、この実施例の変形例となる携帯電話機は、以下の効果を得ることができる。
【０１３２】
１．第１のキートップ部４及び第２のキートップ部５に対して延設部２１，３１を設けると共に、開口部１４に対応するフロント筐体１の各外枠部に対して一対の強度保持用突出部１５ａ，１５ｂを設けた樹脂接続構造により、筐体自体の構成と筐体強度の確保を可能とすることができる。
【０１３３】
２，第１のキートップ部４，第２のキートップ部５及び中間キートップ部８０を１枚の浸水防止シートに接着した一体方式とすると、各キートップ部４，５の延設部２１，３１と各強度保持用突出部１５ａ，１５ｂとが干渉して、フロント筐体１の裏面側から各キートップ部４，５，８０を組み込むことが困難となるが、この実施例の変形例となる携帯電話機の場合、各キートップ部４，５，８０をそれぞれ単体の部品としているため、各強度保持用突出部１５ａ，１５ｂが設けられているフロント筐体１の開口部１４に対して、各キートップ部４，５，８０を簡単に組み込むことを可能とすることができる。
【０１３４】
３．各キートップ部４，５，８０と基板６に設けられたドームスイッチ８との間に、筐体の厚み方向の距離が存在することで、各キートップ部４，５，８０のみでは防水性及び防塵性を図ることが困難となるが、当該実施例の変形例となる携帯電話機では、各キートップ部４，５，８０を開口部１４に対して組み込んで当該携帯電話機を組み立てた際に、各キートップ部４，５，８０に設けられた各浸水防止シート２５，３５，８３の外周部（断面Ｈ形状を形成する上下の凸部）が、フロント側筐体１、及びフレーム１０にそれぞれ密着することで、シーリング構造をクローズすることができ、各キートップ部４，５，８０と開口部１４との間隙部から筐体内に水やほこりが進入する不都合を防止して、防水・防塵性の確保を可能とすることができる。
【０１３５】
４．中間キートップ部８０と、各キートップ部４，５とがそれぞれ隣接する上記間隙部に対応する部分には、中間キートップ部８０の中間浸水防止シート８３と、各キートップ部４，５の各浸水防水シート２５，３５とがオーバーラップしてオーバーラップ部８６，８７をそれぞれ形成するため、上記各間隙部から筐体内に水や埃が侵入する不都合を防止することができる。しかも、このオーバーラップ部８６，８７には、フレーム１０の凸形状の加圧部１０５，１０６が接触して該各オーバーラップ部８６，８７を加圧するため、上記各間隙部から筐体内に水や埃が侵入する不都合を、より強力に防止することができる。
【０１３６】
５．各キートップ部４，５，８０と基板６に設けられたドームスイッチ８との間に、筐体の厚み方向の距離が存在するため、各キートップ部４，５，８０のみで基板６上のドームスイッチ８を直接的にオンオフ操作し、また、発光ダイオード７からの導光も困難となるが、当該実施例の変形例となる携帯電話機の場合、フレーム１０に対して押し子機能、及び導光機能を兼ね備えた押し子部材を組み込むことで、押し子構造及び導光構造を上記押し子部材一つのみの部品で実現している。このため、各キートップ部４，５，８０と基板６に設けられたドームスイッチ８との間の距離を補完するために、特別な基板やフレキシブル基板等を用いる必要がなく、安価に実現可能とすることができる。
【０１３７】
６．従来のボタンキーのクリック操作感や照光機能を備えたまま、各キートップ部４，５，８０の外形幅を広く取ることができ、さらなる押しやすさの確保、及びフロント側筐体１上のタッチパネルモジュール１３との外形幅とをマッチさせることによる連続感の創出といった意匠面でのバリューアップを可能とすることができる。
【０１３８】
［他の変形例］
上述の実施例及び変形例の説明では、本発明を携帯電話機に適用することとしたが、この他、本発明は、ＰＨＳ電話機（PHS：Personal Handyphone System）、ＰＤＡ装置（PDA：Personal Digital Assistant）、携帯ゲーム機、デジタルカメラ装置、動画撮像装置、ノート型或いはデスクトップ型のパーソナルコンピュータ装置等の押圧操作式のボタンキーを備えた電子機器に適用してもよい。いずれの場合も上述と同様の効果を得ることができる。
【０１３９】
最後に、上述の実施例及び変形例は、本発明の一例である。このため、本発明は上述の実施例及び変形例に限定されることはなく、本発明に係る技術的思想を逸脱しない範囲であれば、設計等に応じて種々の変更が可能であることは勿論であることを付け加えておく。
【符号の説明】
【０１４０】
１  フロント側筐体、２  リア側筐体、３  裏蓋、４  第１のキートップ部、５  第２のキートップ部、６  基板、７  発光ダイオード（ＬＥＤ）、８  ドームスイッチ、９  シートキー、１０  フレーム、１１  表示部、１２  押し子部材装着部、１３  タッチパネルモジュール、１４  開口部、１５ａ  一方の強度保持用突出部、１５ｂ  他方の強度保持用突出部、２０  突出部、２１  延設部、２２  フランジ部、２５  第１の浸水防止シート、２６  固定用端部、２７  固定用端部、３０  突出部、３１  延設部、３２  フランジ部、３５  第２の浸水防止シート、３６  固定用端部、３７  固定用端部、３８  オーバーラップ部、４０  連結バー、４１  第１の押し子部材、４２  第２の押し子部材、４３  第１の支持部、４４  第２の支持部、４５  係止爪部、４６  第１の突出部、４７  第２の突出部、５０  突起部、６０  溝部、６１  第１の押し子部材収納部、６２  第２の押し子部材収納部、６３  孔部、６４  孔部、７０  加圧部、８０  中間キートップ部、８１  突出部、８２  フランジ部、８３  中間浸水防止シート、８４  固定用端部、８５  固定用端部、８６  オーバーラップ部、８７  オーバーラップ部、９０  連結バー、９１  第１の突出部、９２  第１の押し子部材、９３  第２の突出部、９４  第２の押し子部材、９５  中間突出部、９７  第１の支持部、９８  第２の支持部、９９  中間支持部、１００  係止爪部、１０５  加圧部、１０６  加圧部、１０７  溝部、１０８  第１の押し子部材収納部、１０９  第２の押し子部材収納部、１１０  中間押し子部材収納部、１１１  孔部、１１２  孔部、１１３  孔部、１１５  第２の浸水防止シートの舌辺部、１１６  第１の浸水防止シートの舌辺部
【図１】
2011071072.tif 000003
【図２】
2011071072.tif 000004
【図３】
2011071072.tif 000005
【図４】
2011071072.tif 000006
【図５】
2011071072.tif 000007
【図６】
2011071072.tif 000008
【図７】
2011071072.tif 000009
【図８】
2011071072.tif 000010
【図９】
2011071072.tif 000011
【図１０】
2011071072.tif 000012
【図１１】
2011071072.tif 000013
【図１２】
2011071072.tif 000014
【図１３】
2011071072.tif 000015
【図１４】
2011071072.tif 000016
【図１５】
2011071072.tif 000017
【図１６】
2011071072.tif 000018
【図１７】
2011071072.tif 000019
【図１８】
2011071072.tif 000020
【図１９】
2011071072.tif 000021
【図２０】
2011071072.tif 000022